(57)【要約】【課題】ユーザー所望の範囲を切取範囲として選択することができないという不都合が発生するのを抑制する。【解決手段】画像読取装置は、原稿を読み取って原稿の画像データを生成する画像読取部と、原稿の画像データに対応する第１プレビュー画像を表示し、切取範囲を選択する範囲選択操作を受け付ける操作パネルと、原稿の画像データから、範囲選択操作で選択された切取範囲に対応する領域の画像データを切り取り、当該切り取った切取画像データの画像を含むページを出力するための出力用データを生成する制御部と、を備え、操作パネルは、微調整ボタンを有し、微調整ボタンに対する操作である微調整操作を範囲選択操作の一操作として受け付け、微調整操作が行われるごとに、切取範囲を所定値ずつ拡大または縮小する。【選択図】図３
2019062515.tif 000002
【特許請求の範囲】
【請求項１】
原稿を読み取って前記原稿の画像データを生成する画像読取部と、
前記原稿の画像データに対応する第１プレビュー画像を表示し、切取範囲を選択する範囲選択操作を受け付ける操作パネルと、
前記原稿の画像データから、前記範囲選択操作で選択された前記切取範囲に対応する領域の画像データを切り取り、当該切り取った切取画像データの画像を含むページを出力するための出力用データを生成する制御部と、を備え、
前記操作パネルは、微調整ボタンを有し、前記微調整ボタンに対する操作である微調整操作を前記範囲選択操作の一操作として受け付け、前記微調整操作が行われるごとに、前記切取範囲を所定値ずつ拡大または縮小することを特徴とする画像読取装置。
【請求項２】
前記操作パネルは、前記第１プレビュー画像の表示領域内の２点を指定する２点指定操作を前記範囲選択操作の一操作として受け付け、前記２点指定操作により前記第１プレビュー画像の表示領域内の２点が指定されると、当該指定された２点を対角の頂点とする四角形で囲まれた範囲を前記２点指定操作で選択された前記切取範囲として示し、その後、前記微調整操作が行われると、前記２点指定操作で選択された前記切取範囲を拡大または縮小することを特徴とする請求項１に記載の画像読取装置。
【請求項３】
前記微調整ボタンは、拡大ボタンおよび縮小ボタンを含み、
前記操作パネルは、前記微調整操作として前記拡大ボタンに対する操作が行われるごとに前記切取範囲を前記所定値ずつ拡大し、前記微調整操作として前記縮小ボタンに対する操作が行われるごとに前記切取範囲を前記所定値ずつ縮小することを特徴とする請求項１または２に記載の画像読取装置。
【請求項４】
前記制御部は、前記操作パネルが前記範囲選択操作を追加で受け付けたことによって複数の前記切取範囲が選択された場合、前記出力用データを生成するときに、複数の前記切取範囲にそれぞれ対応する複数の前記切取画像データの画像を１ページ分の領域内に含めることを特徴とする請求項１〜３のいずれか１項に記載の画像読取装置。
【請求項５】
前記操作パネルは、前記出力用データに対応する第２プレビュー画像を表示し、前記切取画像データの画像のサイズおよび前記切取画像データの画像のページ内での配置位置の少なくとも一方を編集する編集操作を受け付け、
前記制御部は、前記編集操作での編集内容に基づき前記出力用データを編集することを特徴とする請求項１〜４のいずれか１項に記載の画像読取装置。
【請求項６】
前記操作パネルは、前記画像読取部が複数枚の前記原稿を読み取った場合、複数枚の前記原稿の画像データにそれぞれ対応する複数の前記第１プレビュー画像のうち１つを表示して前記範囲選択操作を受け付け、前記第１プレビュー画像を表示しているとき、予め定められた切替操作を受け付けると、現在表示している前記第１プレビュー画像とは別の前記第１プレビュー画像を表示して前記範囲選択操作を受け付けることを特徴とする請求項１〜５のいずれか１項に記載の画像読取装置。
【請求項７】
前記操作パネルは、予め定められた回転操作を前記範囲選択操作の一操作として受け付け、前記回転操作を受け付けると、前記切取範囲を回転させることを特徴とする請求項１〜６のいずれか１項に記載の画像読取装置。
【請求項８】
前記操作パネルは、前記切取範囲をタッチしたままタッチ位置を移動させる操作を前記回転操作として受け付け、前記回転操作時のタッチ位置の移動方向および移動量に基づき前記切取範囲を回転させることを特徴とする請求項７に記載の画像読取装置。
【請求項９】
前記操作パネルは、角度調整ボタンを有し、前記角度調整ボタンに対する操作を前記回転操作として受け付け、前記角度調整ボタンが操作されるごとに、前記切取範囲を所定角度ずつ回転させることを特徴とする請求項７または８に記載の画像読取装置。
【請求項１０】
前記操作パネルは、前記画像読取部が複数枚の前記原稿を読み取った場合、前記画像読取部が読み取った複数枚の前記原稿のいずれかを選択する原稿選択操作を受け付け、
前記制御部は、前記原稿選択操作で選択された前記原稿を基準原稿に設定し、前記基準原稿以外の前記原稿の画像データの地肌色の画素の画素値を前記基準原稿の画像データの地肌色の画素の画素値に変換することを特徴とする請求項１〜９のいずれか１項に記載の画像読取装置。
【請求項１１】
前記操作パネルは、前記原稿選択操作を受け付けるとき、前記画像読取部が読み取った複数枚の前記原稿にそれぞれ対応する複数の前記第１プレビュー画像を表示し、いずれかの前記第１プレビュー画像を選択する操作を前記原稿選択操作として受け付け、
前記制御部は、前記原稿選択操作で選択された前記第１プレビュー画像に対応する前記原稿を前記基準原稿に設定することを特徴とする請求項１０に記載の画像読取装置。
【請求項１２】
請求項１〜１１のいずれか１項に記載の画像読取装置と、
印刷を行う印刷部と、
外部機器との間でデータの送受信を行う通信部と、を備え、
前記制御部は、印刷ジョブを実行する場合、前記出力用データに基づく画像の印刷を前記印刷部に行わせ、送信ジョブを実行する場合、前記出力用データに基づく送信用データの前記外部機器への送信を前記通信部に行わせることを特徴とする画像形成装置。
【発明の詳細な説明】
【技術分野】
【０００１】
本発明は、原稿を読み取る画像読取装置および画像形成装置に関する。
【背景技術】
【０００２】
従来、原稿の読み取りによって得られた原稿画像の一部を切り取り、当該切り取った画像だけを出力する機能を搭載する画像読取装置が知られている。このような画像読取装置は、たとえば、特許文献１に開示されている。
【０００３】
特許文献１の画像読取装置（ファクシミリ装置）は、操作パネルを備える。操作パネルは、原稿画像をプレビュー表示し、切取範囲を選択する選択操作をユーザーから受け付ける。そして、特許文献１の画像読取装置は、原稿画像のうち切取範囲に対応する領域の画像を切り取って出力する。
【先行技術文献】
【特許文献】
【０００４】
【特許文献１】特開２０００−１０１７５７号公報
【発明の概要】
【発明が解決しようとする課題】
【０００５】
特許文献１では、選択操作として、ユーザー所望の範囲（切取範囲として選択したい範囲）の左上部と右下部とを指定する操作の受け付けが行われる（特許文献１：段落００３６および図３（ｃ）参照）。当該操作を行うことにより、切取範囲を選択することができる。
【０００６】
切取範囲を選択した後、当該選択した切取範囲をユーザーが確認した結果、不要な画像が切取範囲に含まれている場合がある。あるいは、必要な画像が切取範囲に含まれていなかったり、必要な画像の一部が切取範囲から外れていたりする場合もある。
【０００７】
これらの場合、特許文献１では、ユーザーは選択操作を最初からやり直さなければならない。しかし、一般的に、ファクシミリ装置などの画像読取装置に設置される操作パネルの表示画面は小さいので、操作パネルにプレビュー表示された原稿画像の表示サイズは小さくなる。このため、必要な画像だけが欠けることなく含まれるよう切取範囲を選択するのはユーザーにとって難しい。したがって、選択操作を最初からやり直しても、ユーザー所望の範囲を切取範囲として選択することができないという不都合が発生し得る。
【０００８】
本発明は、上記課題を解決するためになされたものであり、原稿画像のうちユーザーが選択した切取範囲に対応する領域の画像だけを出力する機能を搭載する画像読取装置および画像形成装置において、ユーザー所望の範囲を切取範囲として選択することができないという不都合が発生するのを抑制することが可能な画像読取装置および画像形成装置を提供することを目的とする。
【課題を解決するための手段】
【０００９】
上記目的を達成するため、本発明の第１の局面による画像形成装置は、原稿を読み取って原稿の画像データを生成する画像読取部と、原稿の画像データに対応する第１プレビュー画像を表示し、切取範囲を選択する範囲選択操作を受け付ける操作パネルと、原稿の画像データから、範囲選択操作で選択された切取範囲に対応する領域の画像データを切り取り、当該切り取った切取画像データの画像を含むページを出力するための出力用データを生成する制御部と、を備える。操作パネルは、微調整ボタンを有し、微調整ボタンに対する操作である微調整操作を範囲選択操作の一操作として受け付け、微調整操作が行われるごとに、切取範囲を所定値ずつ拡大または縮小する。
【００１０】
また、本発明の第２の局面による画像形成装置は、上記画像読取装置と、印刷を行う印刷部と、外部機器との間でデータの送受信を行う通信部と、を備える。制御部は、印刷ジョブを実行する場合、出力用データに基づく画像の印刷を印刷部に行わせ、送信ジョブを実行する場合、出力用データに基づく送信用データの外部機器への送信を通信部に行わせる。
【００１１】
本発明の構成では、操作パネルは、微調整操作を範囲選択操作の一操作として受け付ける。微調整操作は微調整ボタンに対する操作であり、ユーザーが微調整操作を行うごとに切取範囲が所定値ずつ拡大または縮小する。すなわち、ユーザーは切取範囲のサイズを所定値単位で微調整することができる。ことにより、容易に、ユーザーは所望の範囲を切取範囲として選択することができる。
【００１２】
また、この構成では、パーソナルコンピューターなどを用いなくても、原稿画像の一部だけを切り取って出力することができるので、ユーザーの利便性が向上する。
【発明の効果】
【００１３】
本発明の構成では、ユーザー所望の範囲を切取範囲として選択することができないという不都合が発生するのを抑制することができる。
【図面の簡単な説明】
【００１４】
【図１】本発明の一実施形態による複合機の構成を示すブロック図
【図２】本発明の一実施形態による複合機の構成を示す概略図
【図３】本発明の一実施形態による複合機の操作パネルに表示される範囲選択画面を示す図
【図４】本発明の一実施形態による複合機の操作パネルが受け付ける範囲選択操作（２点指定操作）について説明するための図
【図５】本発明の一実施形態による複合機の操作パネルが２点指定操作を受け付けたときの範囲選択画面の遷移を示す図
【図６】本発明の一実施形態による複合機の操作パネルが受け付ける微調整操作（拡大操作）について説明するための図
【図７】本発明の一実施形態による複合機の操作パネルが受け付ける微調整操作（縮小操作）について説明するための図
【図８】本発明の一実施形態による複合機の操作パネルが受け付ける回転操作について説明するための図
【図９】本発明の一実施形態による複合機の操作パネルが受け付ける回転操作について説明するための図
【図１０】本発明の一実施形態による複合機の操作パネルが受け付ける切替操作について説明するための図
【図１１】本発明の一実施形態による複合機の操作パネルに表示される編集画面を示す図
【図１２】本発明の一実施形態による複合機の操作パネルが範囲選択操作を追加で受け付けた場合に表示される編集画面を示す図
【図１３】本発明の一実施形態による複合機の操作パネルが原稿選択操作を受け付けるときに表示する第１プレビュー画像を示す図
【図１４】本発明の一実施形態による複合機の制御部が行う色味調整処理について説明するための図
【図１５】本発明の一実施形態による複合機の制御部により行われる画像切取処理の流れを示す図
【発明を実施するための形態】
【００１５】
本発明の一実施形態による画像読取装置を備えた画像形成装置について、スキャン機能やプリント機能など複数種の機能が搭載された複合機を例にとって説明する。
【００１６】
＜複合機の構成＞
図１に示すように、本実施形態の複合機１００は、制御部１を備える。制御部１は、ＣＰＵ１１、メモリー１２および画像処理モジュール１３を含む。ＣＰＵ１１は、制御用のプログラムおよびデータに基づき動作し、複合機１００の各部を制御するための処理を行う。メモリー１２は、ＣＰＵ１１を動作させるための制御用のプログラムおよびデータを記憶する。
【００１７】
画像処理モジュール１３は、画像データに対して種々の画像処理を行うための専用回路やメモリーを含む。制御部１は、画像処理モジュール１３を用いて、画像データに対して画像処理を行う。
【００１８】
また、図１および図２に示すように、複合機１００は、画像読取部２を備える。画像読取部２は、制御部１に接続される。制御部１は、画像読取部２の読取動作を制御する。画像読取部２は、原稿Ｄを読み取り、原稿Ｄの画像データを生成する。
【００１９】
画像読取部２は、ランプ２１やイメージセンサー２２などの光学系部材を含み、原稿Ｄを光学的に読み取る。ランプ２１やイメージセンサー２２などの光学系部材は、画像読取部２の筐体内部に収容される。画像読取部２の筐体上面には、コンタクトガラスＧ１およびＧ２が嵌め込まれる。コンタクトガラスＧ１は搬送読取モードでの読取時に用いるコンタクトガラスであり、コンタクトガラスＧ２は載置読取モードでの読取時に用いるコンタクトガラスである。
【００２０】
また、画像読取部２は、原稿搬送ユニット２３を含む。原稿搬送ユニット２３は、画像読取部２の筐体上面に対して開閉可能に取り付けられる。原稿搬送ユニット２３には、原稿搬送路２０、原稿セットトレイ２３１および原稿排出トレイ２３２が設けられる。
【００２１】
原稿搬送路２０は、原稿セットトレイ２３１の設置位置から、コンタクトガラスＧ１上の所定位置（搬送読取モードでの読取時の読取位置ＲＰ）を経由し、原稿排出トレイ２３２の設置位置に至る。原稿搬送ユニット２３は、原稿セットトレイ２３１にセットされた読取前の原稿Ｄを原稿搬送路２０に給紙するとともに、原稿搬送路２０に沿って原稿Ｄを搬送し、読取後の原稿Ｄを原稿排出トレイ２３２に排出する。
【００２２】
搬送読取モードでは、ユーザーによって原稿セットトレイ２３１に原稿Ｄがセットされる。原稿搬送ユニット２３は、原稿セットトレイ２３１にセットされた原稿Ｄを原稿搬送路２０に給紙し、原稿搬送路２０に沿って原稿Ｄを搬送する。これにより、コンタクトガラスＧ１上の読取位置ＲＰを原稿Ｄが通過する。画像読取部２は、読取位置ＲＰを通過する原稿Ｄを読み取って原稿Ｄの画像データを生成する。
【００２３】
原稿セットトレイ２３１に複数枚の原稿Ｄをセットした場合には、原稿搬送ユニット２３による複数枚の原稿Ｄの読取位置ＲＰへの搬送が１枚ずつ自動的に行われる。画像読取部２は、原稿Ｄを１枚ずつ連続して読み取って複数枚の原稿Ｄの画像データを生成する連続読取を行う（複数枚の原稿Ｄの画像データは１ファイルにまとめられる）。
【００２４】
載置読取モードでは、ユーザーによってコンタクトガラスＧ２上に原稿Ｄがセットされる。画像読取部２は、コンタクトガラスＧ２上にセットされた原稿Ｄを読み取って原稿Ｄの画像データを生成する。このとき、コンタクトガラスＧ２上にセットした原稿Ｄを原稿搬送ユニット２３によって押え付けることができる。
【００２５】
また、複合機１００は、印刷部３を備える。印刷部３は、制御部１に接続される。制御部１は、印刷部３の印刷動作を制御する。印刷部３は、用紙Ｓに画像を印刷する印刷ジョブを実行する。
【００２６】
印刷部３は、給紙部３１、画像形成部３２および定着部３３を含む。給紙部３１は、カセットに収容された用紙Ｓを用紙搬送路３０に給紙する。用紙搬送路３０に給紙された用紙Ｓは用紙搬送路３０に沿って搬送される。
【００２７】
画像形成部３２は、ブラック（Ｋ）、イエロー（Ｙ）、シアン（Ｃ）およびマゼンタ（Ｍ）の各色にそれぞれ対応する画像形成ユニット３２Ｋ、３２Ｙ、３２Ｃおよび３２Ｍを含む。画像形成ユニット３２Ｋ、３２Ｙ、３２Ｃおよび３２Ｍは、それぞれ、対応する色のトナー像を形成し、中間ベルトに１次転写する。中間ベルトに転写されたトナー像は、搬送中の用紙Ｓに２次転写される。
【００２８】
定着部３３は、トナー像が転写された用紙Ｓを加圧および加熱する。これにより、用紙Ｓにトナー像が定着される。トナー像が定着された印刷済み用紙Ｓは、用紙搬送路３０に沿ってそのまま搬送され、排出される。
【００２９】
また、複合機１００は、操作パネル４を備える。操作パネル４は、制御部１に接続される。制御部１は、操作パネル４の表示動作を制御するとともに、操作パネル４に対して行われた操作を検知する。
【００３０】
操作パネル４は、タッチスクリーン４１およびハードウェアボタン４２を含む。タッチスクリーン４１は、ソフトウェアボタンを配した画面を表示し、ユーザーからタッチ操作を受け付ける。ハードウェアボタン４２は、操作パネル４に複数設けられる。たとえば、ハードウェアボタン４２としては、ジョブの実行を指示するスタート操作をユーザーから受け付けるためのスタートボタンなどがある。
【００３１】
また、図１に示すように、複合機１００は、通信部５を備える。通信部５は、制御部１に接続される。制御部１は、通信部５が行う通信を制御する。
【００３２】
通信部５は、複合機１００をＬＡＮなどのネットワークＮＴに接続するためのインターフェースであり、通信用回路、通信用メモリーおよび通信用コネクターなどを含む。ネットワークＮＴには、外部機器２００が接続される。外部機器２００は、ファクシミリやサーバー、複合機１００のユーザーにより使用されるユーザー端末（パーソナルコンピューター）などである。通信部５は、外部機器２００との間でデータの送受信を行う。
【００３３】
ネットワークＮＴを介して複合機１００（通信部５）と外部機器２００とを通信可能に接続した場合には、複合機１００から外部機器２００にデータを送信する送信ジョブの実行が可能となる。すなわち、通信部５は、送信ジョブを実行する。
【００３４】
また、複合機１００は、記憶部６を備える。記憶部６は、制御部１に接続される。制御部１は、記憶部６からのデータの読み出しや記憶部６へのデータの書き込みを行う。特に限定されないが、記憶部６は、ＲＯＭ（ＥＥＰＲＯＭなど）のような不揮発性の記憶デバイスを含む。
【００３５】
たとえば、制御部１は、画像読取部２による原稿Ｄの読み取りによって得られた原稿Ｄの画像データを記憶部６に一旦記憶させる。そして、制御部１は、原稿Ｄの画像データを用いるジョブ（印刷ジョブや送信ジョブ）を実行するとき、原稿Ｄの画像データに基づき出力用データを生成する。
【００３６】
印刷ジョブを実行する場合、制御部１は、出力用データに基づき、露光処理（原稿Ｄの画像データに基づく静電潜像を形成する処理）を制御するための露光制御データを生成する。そして、制御部１は、露光制御データを印刷部３に出力することにより、原稿Ｄの画像データに基づく静電潜像の形成および当該静電潜像のトナー像への現像を印刷部３に行わせる。これにより、原稿Ｄの画像データに基づく画像が用紙Ｓに印刷される。
【００３７】
送信ジョブを実行する場合、制御部１は、出力用データに基づき送信用データ（ＰＤＦデータなど）を生成する。そして、制御部１は、送信用データの外部機器２００への送信を通信部５に行わせる。
【００３８】
ここで、制御部１は、プレビュー画像（プレビュー用の表示データ）を生成するためのプレビュー画像生成モジュール１４を含む。プレビュー画像生成モジュール１４は、プレビュー画像を生成するための専用回路やメモリーなどで構成される。制御部１は、プレビュー画像生成モジュール１４を用いてプレビュー画像を生成し、操作パネル４にプレビュー画像を表示させる。
【００３９】
＜画像切取機能＞
複合機１００には、画像切取機能が搭載される。画像切取機能を有効に設定しておくことにより、原稿Ｄの読み取りによって得られた原稿画像の一部を切り取り、原稿画像の切り取った領域の画像だけを出力することができる。
【００４０】
画像切取機能の有効／無効の設定は操作パネル４がユーザーから受け付ける。制御部１は、画像切取機能が有効に設定された状態で、画像読取部２による原稿Ｄの読み取りが行われると、原稿Ｄの画像データに対応する第１プレビュー画像Ｐ１（図３参照）を生成する。そして、制御部１は、範囲選択画面４１０（図３参照）の表示指示を操作パネル４に与える。
【００４１】
操作パネル４は、当該表示指示を受けると、図３に示すような範囲選択画面４１０を表示する。範囲選択画面４１０には、プレビュー領域Ａ１が設けられる。操作パネル４は、プレビュー領域Ａ１に第１プレビュー画像Ｐ１を表示する。
【００４２】
範囲選択画面４１０には、選択ボタンＢ１１が配される。操作パネル４は、選択ボタンＢ１１に対するタッチ操作（タップ操作）が行われると、切取範囲を選択する範囲選択操作（タッチスクリーン４１に対するタッチ操作）をユーザーから受け付ける。ここで、範囲選択操作は２点指定操作と微調整操作とを含む。
【００４３】
範囲選択画面４１０の表示後、まず、操作パネル４は、２点指定操作を受け付ける。図４に示すように、第１プレビュー画像Ｐ１の表示領域内をタッチし、タッチしたまま指を動かすタッチ操作をユーザーが行うと、当該タッチ操作が２点指定操作として受け付けられる。図４では、移動前のタッチ位置（２点指定操作の最初のタッチ位置）を一重丸で示すとともに、移動後のタッチ位置（指の動きが止まったときのタッチ位置）を二重丸で示し、タッチ位置の移動軌跡を白抜き矢印で示す。
【００４４】
制御部１は、操作パネル４に対して２点指定操作が行われたことを検知すると、移動前のタッチ位置および移動後のタッチ位置の２点（第１プレビュー画像Ｐ１の表示領域内の２点）が２点指定操作で指定されたと判断する。制御部１は、当該指定された２点を対角の頂点とする四角形で囲まれた範囲（図４では、破線で示す）を２点指定操作で選択された切取範囲として認識する。
【００４５】
操作パネル４は、２点指定操作で２点が指定されると、当該指定された２点を対角の頂点とする四角形で囲まれた範囲が２点指定操作で選択された切取範囲である旨をユーザーに認識させるための表示を行う。たとえば、操作パネル４は、図５に示すように、２点指定操作で選択された切取範囲を囲む枠Ｆ（下図参照）を表示する。なお、枠Ｆの内側の画像の表示色を変化させてもよい（たとえば、白黒反転させてもよい）。
【００４６】
２点指定操作の受付後、操作パネル４は、微調整操作を受け付ける。たとえば、範囲選択画面４１０には、微調整ボタンＢ１２（ソフトウェアボタン）が配される。微調整ボタンＢ１２は、拡大ボタンＢ１２１および縮小ボタンＢ１２２を含む。微調整ボタンＢ１２に対するタッチ操作（タップ操作）をユーザーが行うと、当該タッチ操作が微調整操作として受け付けられる。微調整操作では、２点指定操作で選択した切取範囲のサイズを微調整（拡大または縮小）することができる。
【００４７】
図６に示すように、ユーザーが拡大ボタンＢ１２１を１回タップすると（微調整操作としての拡大操作を１回行うと）、２点指定操作で選択した切取範囲（当該切取範囲は枠Ｆで示される）は上下左右の全方向に所定値（たとえば、１ｍｍ）だけ拡大する。その後、ユーザーが拡大ボタンＢ１２１をさらに１回タップすると、２点指定操作で選択した切取範囲は上下左右の全方向に所定値だけさらに拡大する。すなわち、操作パネル４は、微調整操作として拡大ボタンＢ１２１に対するタッチ操作（タップ操作）が行われるごとに、２点指定操作で選択された切取範囲を上下左右の全方向に所定値ずつ拡大する。なお、図６では、拡大操作の直前の切取範囲を破線で示す。
【００４８】
図７に示すように、ユーザーが縮小ボタンＢ１２２を１回タップすると（微調整操作としての縮小操作を１回行うと）、２点指定操作で選択した切取範囲（当該切取範囲は枠Ｆで示される）は上下左右の全方向に所定値（たとえば、１ｍｍ）だけ縮小する。その後、ユーザーが縮小ボタンＢ１２２をさらに１回タップすると、２点指定操作で選択した切取範囲は上下左右の全方向に所定値だけさらに縮小する。すなわち、操作パネル４は、微調整操作として縮小ボタンＢ１２２に対するタッチ操作（タップ操作）が行われるごとに、２点指定操作で選択された切取範囲を上下左右の全方向に所定値ずつ縮小する。なお、図７では、縮小操作の直前の切取範囲を破線で示す。
【００４９】
また、図３に示す範囲選択画面４１０の表示中、操作パネル４は、２点指定操作あるいは微調整操作で選択された切取範囲を回転する回転操作を範囲選択操作の一操作として受け付ける。操作パネル４は、切取範囲内の位置をタッチし、タッチしたまま、タッチした指の位置（タッチ位置）を移動させるタッチ操作を回転操作として受け付ける。そして、操作パネル４は、回転操作を受け付けると、回転操作時のタッチ位置の移動方向および移動量に基づき切取範囲（切取範囲を示す枠Ｆ）を回転させる。ユーザーが回転操作を行うと、切取範囲を示す枠Ｆが回転するので、切取範囲の回転方向や切取範囲がどれだけ回転したかをユーザーは認識することができる。
【００５０】
たとえば、操作パネル４は、回転操作を受け付けると、切取範囲の中心を回転中心とする。そして、図８に示すように、回転操作時のタッチ位置が切取範囲の回転中心（図８では、黒丸で示す）よりも一方側（右側）の領域であり、タッチ位置の移動方向が下方向（斜め下方向を含む）であった場合、操作パネル４は、切取範囲を時計回り方向（回転操作時のタッチ位置の移動方向に応じた方向）に回転させる。また、回転操作時のタッチ位置が切取範囲の回転中心よりも一方側（右側）の領域であり、タッチ位置の移動方向が上方向（斜め上方向を含む）であった場合、操作パネル４は、切取範囲を反時計回り方向（回転操作時のタッチ位置の移動方向に応じた方向）に回転させる。
【００５１】
一方で、図示しないが、回転操作時のタッチ位置が切取範囲の回転中心よりも他方側（左側）の領域であり、タッチ位置の移動方向が下方向（斜め下方向を含む）であった場合、操作パネル４は、切取範囲を反時計回り方向（回転操作時のタッチ位置の移動方向に応じた方向）に回転させる。また、回転操作時のタッチ位置が切取範囲の回転中心よりも一方側（左側）の領域であり、タッチ位置の移動方向が上方向（斜め上方向を含む）であった場合、操作パネル４は、切取範囲を時計回り方向（回転操作時のタッチ位置の移動方向に応じた方向）向に回転させる。
【００５２】
なお、操作パネル４は、回転操作時のタッチ位置の移動に追従して切取範囲を回転させる。すなわち、操作パネル４は、タッチ位置が移動している間はタッチ位置の移動方向に応じた方向に切取範囲を回転させ、タッチ位置が移動していない間は切取範囲を回転させない。このため、回転操作時のタッチ位置の移動量が大きいほど切取範囲の回転量（回転角）が大きくなり、回転操作時のタッチ位置の移動量が小さいほど切取範囲の回転量（回転角）が小さくなる。
【００５３】
ここで、図３に示すように、範囲選択画面４１０には角度調整ボタンＢ１６（ソフトウェアボタン）が配される。角度調整ボタンＢ１６は、時計回りボタンＢ１６１および反時計回りボタンＢ１６２を含む。操作パネル４は、角度調整ボタンＢ１６に対するタッチ操作（タップ操作）も回転操作として受け付ける。
【００５４】
たとえば、操作パネル４は、２点指定操作や微調整操作の受付後（枠Ｆの表示後）、切取範囲に対して所定操作（たとえば、同位置を所定時間以上タッチし続ける長押し操作など）が行われると、所定操作を受けた切取範囲を調整対象とし、角度調整ボタンＢ１６に対するタッチ操作の受け付けを開始する。ここで、角度調整ボタンＢ１６は、切取範囲の傾き角度の微調整を受け付けるためのボタンである。
【００５５】
ユーザーが時計回りボタンＢ１６１を１回タップすると、調整対象の切取範囲（枠Ｆ）は時計回り方向に所定角度だけ回転する。その後、ユーザーが時計回りボタンＢ１６１をさらに１回タップすると、調整対象の切取範囲は時計回り方向に所定角度だけさらに回転する。すなわち、操作パネル４は、時計回りボタンＢ１６１に対するタッチ操作が行われるごとに、調整対象の切取範囲を時計回り方向に所定角度ずつ回転させる。
【００５６】
また、ユーザーが反時計回りボタンＢ１６２を１回タップすると、調整対象の切取範囲（枠Ｆ）は反時計回り方向に所定角度だけ回転する。その後、ユーザーが反時計回りボタンＢ１６２をさらに１回タップすると、調整対象の切取範囲は反時計回り方向に所定角度だけさらに回転する。すなわち、操作パネル４は、反時計回りボタンＢ１６２に対するタッチ操作が行われるごとに、調整対象の切取範囲を反時計回り方向に所定角度ずつ回転させる。
【００５７】
たとえば、原稿Ｄが傾いた状態で画像読取部２による読み取りが行われた場合には、画像読取部２が読み取った原稿Ｄの画像データに含まれる原稿画像が傾く。このため、図９に示すように、原稿画像が傾いた第１プレビュー画像Ｐ１が操作パネル４に表示される。図９では、アルファベットの羅列が原稿画像である。
【００５８】
この例において、ユーザー所望の切取範囲が破線で囲まれた範囲であった場合、２点指定操作や微調整操作だけでは、図９の上図に示すように、ユーザー所望の切取範囲を正確に選択することができない。すなわち、枠Ｆで示される切取範囲とユーザー所望の切取範囲（破線で囲まれた範囲）とを一致させることができない。この場合、ユーザーが回転操作を行うことにより（切取範囲を回転させることにより）、図９の下図に示すように、枠Ｆで示される切取範囲とユーザー所望の切取範囲とを一致させることができる。
【００５９】
図３に戻って、範囲選択画面４１０には、切替ボタンＢ１３が配される。切替ボタンＢ１３は、次ページボタンＢ１３１および前ページボタンＢ１３２を含む。切替ボタンＢ１３は、プレビュー領域Ａ１に表示する第１プレビュー画像Ｐ１を切り替える切替操作をユーザーから受け付けるためのボタンである。
【００６０】
たとえば、複数枚の原稿Ｄの連続読取が行われた場合（画像読取部２によって複数枚の原稿Ｄの画像データが生成された場合）には、複数枚の原稿Ｄの画像データにそれぞれ対応する複数の第１プレビュー画像Ｐ１が制御部１により生成される。そして、操作パネル４は、複数の第１プレビュー画像Ｐ１のうち１つを範囲選択画面４１０のプレビュー領域Ａ１に表示し、範囲選択操作を受け付ける。たとえば、操作パネル４は、１ページ目の原稿Ｄの画像データに対応する第１プレビュー画像Ｐ１を最初に表示する。
【００６１】
この場合、図１０に示すように、切替操作として次ページボタンＢ１３１に対するタッチ操作（タップ操作）が行われると、操作パネル４は、２ページ目の原稿Ｄの画像データに対応する第１プレビュー画像Ｐ１を表示し、範囲選択操作を受け付ける（図１０の上図から図１０の下図に遷移する）。２ページ目の原稿Ｄの画像データに対応する第１プレビュー画像Ｐ１をプレビュー領域Ａ１に表示している状態で、切替操作として前ページボタンＢ１３２に対するタッチ操作（タップ操作）が行われると、操作パネル４は、１ページ目の原稿Ｄの画像データに対応する第１プレビュー画像Ｐ１を表示し、範囲選択操作を受け付ける（図１０の下図から図１０の上図に遷移する）。
【００６２】
なお、範囲選択画面４１０には、キャンセルボタンＢ１４が配される。キャンセルボタンＢ１４に対するタッチ操作（タップ操作）を検知すると、制御部１は、現在選択されている切取範囲をキャンセルする範囲キャンセル処理を行う。
【００６３】
また、範囲選択画面４１０には、決定ボタンＢ１５が配される。決定ボタンＢ１５に対するタッチ操作（タップ操作）を検知すると、制御部１は、原稿Ｄの画像データから、範囲選択操作で選択された切取範囲に対応する画像データを切り取り、当該切り取った画像データである切取画像データの画像（以下、切取画像と称する）だけを含むページを出力するための出力用データを生成する。また、制御部１は、出力用データに対応する第２プレビュー画像Ｐ２（図１１参照）を生成する。なお、第２プレビュー画像Ｐ２は、切取画像だけを含むページをプレビューするためのプレビュー画像である。
【００６４】
ここで、制御部１は、回転操作により回転された切取範囲に対応する切取画像（ここでは、便宜上、対象切取画像と称する）を含むページの出力用データを生成するとき、対象切取画像を回転させる。具体的には、制御部１は、対象切取画像に対応する切取範囲に対して回転操作が行われたときに、対象切取画像に対応する切取範囲が時計回り方向および反時計回り方向のいずれの方向にどれだけ回転したかを認識し、当該認識した回転方向および回転角度をそれぞれ対象方向および対象角度に設定する。そして、制御部１は、対象切取画像を対象方向とは逆方向に対象角度だけ回転させる。
【００６５】
制御部１は、第２プレビュー画像Ｐ２の生成後、編集画面４２０の表示指示を操作パネル４に与える。操作パネル４は、当該表示指示を受けると、図１１に示すような編集画面４２０を表示する。編集画面４２０には、プレビュー領域Ａ２が設けられる。操作パネル４は、プレビュー領域Ａ２に第２プレビュー画像Ｐ２を表示する。そして、操作パネル４は、ユーザーから編集操作を受け付ける。図１１では、切取画像に符号４０を付す。
【００６６】
編集画面４２０には、ページ内での切取画像４０の左右方向の位置編集を受け付けるための左右位置編集ボタンＢ２１が複数配される。また、編集画面４２０には、ページ内での切取画像４０の上下方向の位置編集を受け付けるための上下位置編集ボタンＢ２２が複数配される。
【００６７】
左右位置編集ボタンＢ２１は、左寄せボタンＢ２１１、中央ボタンＢ２１２および右寄せボタンＢ２１３を含む。編集操作として左寄せボタンＢ２１１に対するタッチ操作（タップ操作）が行われると、操作パネル４は、切取画像４０をページ内の左側に表示する。編集操作として中央ボタンＢ２１２に対するタッチ操作（タップ操作）が行われると、操作パネル４は、切取画像４０をページ内の左右方向の中央に表示する。編集操作として右寄せボタンＢ２１３に対するタッチ操作（タップ操作）が行われると、操作パネル４は、切取画像４０をページ内の右側に表示する。
【００６８】
上下位置編集ボタンＢ２２は、上寄せボタンＢ２２１、中央ボタンＢ２２２および右寄せボタンＢ２２３を含む。編集操作として上寄せボタンＢ２２１に対するタッチ操作（タップ操作）が行われると、操作パネル４は、切取画像４０をページ内の上側に表示する。編集操作として中央ボタンＢ２２２に対するタッチ操作（タップ操作）が行われると、操作パネル４は、切取画像４０をページ内の上下方向の中央に表示する。編集操作として下寄せボタンＢ２２３に対するタッチ操作（タップ操作）が行われると、操作パネル４は、切取画像４０をページ内の下側に表示する。
【００６９】
図１１では、切取画像４０の左右方向の配置位置が左寄せに設定され、切取画像４０の上下方向の配置位置が中央に設定された場合を図示する。たとえば、左右位置編集ボタンＢ２１（Ｂ２１１〜Ｂ２１３）および上下位置編集ボタンＢ２２（Ｂ２２１〜Ｂ２２３）のうち、切取画像４０の現在の配置位置に対応するボタンの表示は白黒反転される。なお、切取画像４０に対するドラッグアンドドロップ操作により、切取画像４０の位置編集を行えてもよい。
【００７０】
また、編集画面４２０には、サイズ編集ボタンＢ２３が配される。サイズ編集ボタンＢ２３は、拡大ボタンＢ２３１および縮小ボタンＢ２３２を含む。サイズ編集ボタンＢ２３は、切取画像４０のページ内でのサイズ編集を受け付けるためのボタンである。
【００７１】
編集操作として拡大ボタンＢ２３１に対するタッチ操作（タップ操作）が行われると、操作パネル４は、切取画像４０のページ内でのサイズを現在のサイズよりも拡大する。たとえば、拡大ボタンＢ２３１に対するタッチ操作を１回行うごとに、切取画像４０のサイズが１０％ずつ拡大されていく。
【００７２】
編集操作として縮小ボタンＢ２３２に対するタッチ操作（タップ操作）が行われると、操作パネル４は、切取画像４０のページ内でのサイズを現在のサイズよりも縮小する。たとえば、縮小ボタンＢ２３２に対するタッチ操作を１回行うごとに、切取画像４０のサイズが１０％ずつ縮小されていく。
【００７３】
ここで、編集画面４２０には、切取画像４０の追加をユーザーから受け付けるための追加ボタンＢ２４が配される。操作パネル４は、追加ボタンＢ２４に対するタッチ操作（タップ操作）が行われると、範囲選択画面４１０を表示する。そして、操作パネル４は、範囲選択操作の追加受付を行う（切取画像４０の追加を受け付ける）。
【００７４】
制御部１は、操作パネル４が範囲選択操作を追加で受け付けたことによって複数の切取範囲が選択された場合、出力用データを生成するときに、複数の切取範囲にそれぞれ対応する複数の切取画像４０を１ページ分の領域内に含める。また、制御部１は、複数の切取範囲にそれぞれ対応する複数の切取画像４０を１ページ分の領域内に含めたページをプレビューするための第２プレビュー画像Ｐ２を生成する。
【００７５】
たとえば、ユーザーが或る切取範囲（当該切取範囲に対応する切取画像４０に符号４０Ａを付す）を選択した結果、図１１に示した編集画面４２０が表示され、その後、ユーザーが別の切取範囲（当該切取範囲に対応する切取画像４０に符号４０Ｂを付す）を選択したとする。この場合、図１２に示すように、制御部１は、切取画像４０Ａおよび４０Ｂを１ページ内に含めたページを出力するための出力用データを生成するとともに、当該生成した出力用データに対応する第２プレビュー画像Ｐ２を生成し、当該生成した第２プレビュー画像Ｐ２をプレビュー領域Ａ２に配した編集画面４２０を操作パネル４に表示させる。
【００７６】
ここで、範囲選択画面４１０（図３参照）には、色味調整ボタンＢ１７（ソフトウェアボタン）が配される。操作パネル４は、複数枚の原稿Ｄの連続読取が行われた場合（画像読取部２によって複数枚の原稿Ｄの画像データが生成された場合）に、色味調整ボタンＢ１７に対するタッチ操作を受け付ける。
【００７７】
操作パネル４は、色味調整ボタンＢ１７に対するタッチ操作が行われると、図１３に示すように、画像読取部２が読み取った複数枚の原稿Ｄの画像データにそれぞれ対応する複数の第１プレビュー画像Ｐ１を選択肢として表示し、いずれかの第１プレビュー画像Ｐ１をタッチする操作（選択する操作）を原稿選択操作として受け付ける。
【００７８】
制御部１は、操作パネル４に対する原稿選択操作を検知すると、色味調整処理を行う。具体的には、制御部１は、操作パネル４に対する原稿選択操作を検知すると、原稿選択操作時にタッチされた第１プレビュー画像Ｐ１に対応する原稿Ｄが選択されたと判断し、当該選択された原稿Ｄを基準原稿Ｄに設定する。また、制御部１は、複数枚の原稿Ｄの画像データのそれぞれについて、地肌色の画素を認識する。たとえば、制御部１は、原稿Ｄの画像データを白黒の２値画像に変換する２値化処理を行い、白画素を地肌色の画素として認識する。そして、制御部１は、複数枚の原稿Ｄの画像データのうち基準原稿Ｄ以外の原稿Ｄの画像データについて、画像データの地肌色の画素の画素値を基準原稿Ｄの画像データの地肌色の画素の画素値に変換する処理を色味調整処理として行う。
【００７９】
なお、編集画面４２０（図１１および図１２参照）にも、範囲選択画面４１０の色味調整ボタンＢ１７と同様の色味調整ボタンＢ２７が配される。編集画面４２０の色味調整ボタンＢ２７に対してタッチ操作を行うと、操作パネル４にて原稿選択操作の受け付けが行われ、続けて原稿選択操作を行うと、制御部１にて色味調整処理が行われる。
【００８０】
たとえば、図１２に示す切取画像４０Ａおよび４０Ｂにそれぞれ対応する各原稿Ｄの画像が存在しない画像無し部分の色（すなわち、当該各原稿Ｄの地肌色）が互いに異なっていたとする。この例において、制御部１による色味調整処理が行われた場合には、図１４に示すように、切取画像４０Ａおよび４０Ｂの各背景部分の色味が互いに同じになる（色味の違いをハッチングで示す）。
【００８１】
図１１および図１２に戻って、編集画面４２０には、キャンセルボタンＢ２５が配される。キャンセルボタンＢ２５に対するタッチ操作（タップ操作）を検知すると、制御部１は、編集内容をキャンセルする編集キャンセル処理を行う。編集キャンセル処理が行われることにより、プレビュー領域Ａ２に表示された切取画像４０の配置位置およびサイズがキャンセルボタンＢ２５に対する操作直前の状態に戻る。
【００８２】
また、編集画面４２０には、決定ボタンＢ２６が配される。決定ボタンＢ２６に対するタッチ操作（タップ操作）を検知すると、制御部１は、編集画面４２０に対する編集操作での編集結果に基づき、出力用データを編集する。
【００８３】
このとき、制御部１は、編集画面４２０のプレビュー領域Ａ２に表示されたページ内での切取画像４０の配置位置を対象位置として認識する。また、制御部１は、編集画面４２０のプレビュー領域Ａ２に表示されたページサイズに対する切取画像４０のサイズの比率を対象比率として認識する。そして、制御部１は、出力ページ内での切取画像４０の配置位置が対象位置となり、出力ページサイズに対する切取画像４０のサイズの比率が対象比率となるよう出力用データを編集する。
【００８４】
出力データの編集後、制御部１は、出力用データを出力するための出力処理を行う。印刷ジョブを実行する場合、制御部１は、出力用データに基づき露光制御データを生成するとともに印刷部３に出力することにより、出力用データに基づく画像の用紙Ｓへの印刷を印刷部３に行わせる。送信ジョブを実行する場合、制御部１は、出力用データに基づき送信用データを生成し、送信用データの外部機器２００への送信を通信部５に行わせる。なお、ユーザーによっては、編集画面４２０での編集を行わない場合もある。
【００８５】
以下に、図１５に示すフローチャートを参照し、制御部１が行う画像切取処理（画像切取機能に関する処理）の流れを説明する。図１５に示すフローチャートは、画像読取部２による原稿Ｄの読み取りが行われるとスタートする。
【００８６】
ステップＳ１において、制御部１は、原稿Ｄの画像データに対応する第１プレビュー画像Ｐ１を生成する。画像読取部２が複数枚の原稿Ｄを読み取った場合、制御部１は、複数枚の原稿Ｄの画像データにそれぞれ対応する複数の第１プレビュー画像Ｐ１を生成する。そして、ステップＳ２において、制御部１は、第１プレビュー画像Ｐ１を配した範囲選択画面４１０を操作パネル４に表示させる。
【００８７】
また、ステップＳ３において、制御部１は、範囲選択操作の受け付けを操作パネル４に行わせる。画像読取部２が複数枚の原稿Ｄを読み取った場合、制御部１は、原稿選択操作の受け付けも操作パネル４に行わせる。その後、ステップＳ４に移行する。
【００８８】
ステップＳ４において、制御部１は、操作パネル４が原稿選択操作を受け付けたか否かを判断する。その結果、原稿選択操作を受け付けたと制御部１が判断した場合には、ステップＳ５に移行する。ステップＳ５に移行すると、制御部１は、色味調整処理を行う。ここで、ステップＳ５に移行したということは、画像読取部２が複数枚の原稿Ｄを読み取った（制御部１が複数の第１プレビュー画像Ｐ１を生成した）ということである。その後、ステップＳ６に移行する。なお、ステップＳ４において、操作パネル４が原稿選択操作を受け付けなかった（操作パネル４が範囲選択操作だけを受け付けた）と制御部１が判断した場合にも、ステップＳ６に移行する。
【００８９】
ステップＳ６に移行すると、制御部１は、範囲選択操作で選択された切取範囲を認識する。切取範囲の選択では、少なくとも２点指定操作が行われ、必要に応じて、切取範囲のサイズを微調整する微調整操作や、切取範囲を回転させる回転操作が追加的に行われる。
【００９０】
ステップＳ７において、制御部１は、範囲選択画面４１０のキャンセルボタンＢ１４に対する操作が行われたか否かを判断する。その結果、キャンセルボタンＢ１４に対する操作が行われたと制御部１が判断した場合には、ステップＳ８に移行する。ステップＳ８に移行すると、制御部１は範囲キャンセル処理を行う。その後、ステップＳ３に移行する。これにより、ユーザーは範囲選択操作をやり直すことができる。
【００９１】
ステップＳ７において、範囲選択画面４１０のキャンセルボタンＢ１４に対する操作が行われていないと制御部１が判断した場合には、ステップＳ９に移行する。ステップＳ９に移行すると、制御部１は、範囲選択画面４１０の決定ボタンＢ１５に対する操作が行われたか否かを判断する。その結果、決定ボタンＢ１５に対する操作が行われたと制御部１が判断した場合には、ステップＳ１０に移行し、決定ボタンＢ１５に対する操作が行われていないと制御部１が判断した場合には、ステップＳ７に移行する。
【００９２】
ステップＳ１０に移行すると、制御部１は、原稿Ｄの画像データから、範囲選択操作で選択された切取範囲（ステップＳ６で認識した切取範囲）に対応する画像データを切り取り、切取画像データの画像を含むページを出力するための出力用データを生成する。なお、この時点で選択されている切取範囲が複数存在する場合、出力用データを生成するときに、制御部１は、複数の切取画像データの画像を１ページ分の領域内に含める（後述するステップＳ１３で「Ｙｅｓ」の場合に切取範囲が複数存在した状態になり得る）。また、制御部１は、出力用データに対応する第２プレビュー画像Ｐ２を生成する。
【００９３】
ステップＳ１１において、制御部１は、第２プレビュー画像Ｐ２を配した編集画面４２０を操作パネル４に表示させる。そして、ステップＳ１２において、制御部１は、編集操作の受け付けを操作パネル４に行わせる。
【００９４】
ステップＳ１３において、制御部１は、編集画面４２０の追加ボタンＢ２４に対する操作が行われたか否かを判断する。その結果、追加ボタンＢ２４に対する操作が行われたと制御部１が判断した場合には、ステップＳ２に移行する。この場合、編集画面４２０の表示が停止され、範囲選択画面４１０が表示される。そして、範囲選択操作の受け付けが再度行われる。
【００９５】
ステップＳ１３において、編集画面４２０の追加ボタンＢ２４に対する操作が行われていないと制御部１が判断した場合には、ステップＳ１４に移行する。ステップＳ１４に移行すると、制御部１は、編集画面４２０のキャンセルボタンＢ２５に対する操作が行われたか否かを判断する。その結果、キャンセルボタンＢ２５に対する操作が行われたと制御部１が判断した場合には、ステップＳ１５に移行する。ステップＳ１５に移行すると、制御部１は編集キャンセル処理を行う。その後、ステップＳ１２に移行する。これにより、ユーザーは編集操作をやり直すことができる。
【００９６】
ステップＳ１４において、編集画面４２０のキャンセルボタンＢ２５に対する操作が行われていないと制御部１が判断した場合には、ステップＳ１６に移行する。ステップＳ１６に移行すると、制御部１は、編集画面４２０の決定ボタンＢ２６に対する操作が行われたか否かを判断する。その結果、決定ボタンＢ２６に対する操作が行われたと制御部１が判断した場合には、ステップＳ１７に移行し、決定ボタンＢ２６に対する操作が行われていないと制御部１が判断した場合には、ステップＳ１２に移行する。ステップＳ１７に移行すると、制御部１は出力処理を行う。
【００９７】
本実施形態の複合機１００（画像読取装置および画像形成装置）は、上記のように、原稿Ｄを読み取って原稿Ｄの画像データを生成する画像読取部２と、原稿Ｄの画像データに対応する第１プレビュー画像Ｐ１を表示し、切取範囲を選択する範囲選択操作を受け付ける操作パネル４と、原稿Ｄの画像データから、範囲選択操作で選択された切取範囲に対応する領域の画像データを切り取り、当該切り取った切取画像データの画像を含むページを出力するための出力用データを生成する制御部１と、を備える。操作パネル４は、微調整ボタンＢ１２を有し、微調整ボタンＢ１２に対する操作である微調整操作を範囲選択操作の一操作として受け付け、微調整操作が行われるごとに、切取範囲を所定値ずつ拡大または縮小する。
【００９８】
本実施形態の構成では、操作パネル４は微調整操作を範囲選択操作の一操作として受け付ける。微調整操作は微調整ボタンＢ１２に対する操作であり、ユーザーが微調整操作を１回行うごとに切取範囲が所定値ずつ拡大または縮小する。すなわち、ユーザーは切取範囲のサイズを所定値単位で微調整することができる。ことにより、容易に、ユーザーは所望の範囲を切取範囲として選択することができる。
【００９９】
また、この構成では、ＰＣなどを用いなくても、原稿画像の一部だけを切り取って出力することができるので、ユーザーの利便性が向上する。原稿画像の一部を切り取る処理などをＰＣ上で行う場合には、複合機１００で読み取った原稿Ｄの画像データをＰＣに送信し、ＰＣ上で原稿画像の一部を切り取る処理を行ってから、処理済みデータを複合機１００に送り返さなければならないので、手間がかかる。
【０１００】
なお、たとえば、微調整操作（拡大操作および縮小操作）に割り当てられた操作がピンチ操作（ピンチアウト操作およびピンチイン操作）であれば、切取範囲のサイズを微調整するときに、タッチスクリーン４１をタッチしたまま指を細かく動かさなければならないので、ユーザーにとっては操作性が悪い。一方で、微調整ボタンＢ１２に対するタッチ操作（タップ操作）を微調整操作（拡大操作および縮小操作）に割り当てれば、ユーザーは微調整ボタンＢ１２をタップするだけで、切取範囲のサイズを所定値ずつ拡大または縮小することができるので、操作性が向上する。
【０１０１】
また、本実施形態では、上記のように、操作パネル４は、第１プレビュー画像Ｐ１の表示領域内の２点を指定する２点指定操作を範囲選択操作の一操作として受け付け、２点指定操作により第１プレビュー画像Ｐ１の表示領域内の２点が指定されると、当該指定された２点を対角の頂点とする四角形で囲まれた範囲を２点指定操作で選択された切取範囲として示し、その後、微調整操作が行われると、２点指定操作で選択された切取範囲を拡大または縮小する。この構成では、最初に切取範囲の位置およびサイズを大まかに決めてから、切取範囲のサイズを微調整することができるので、ユーザーの操作性が向上する。
【０１０２】
また、本実施形態では、上記のように、操作パネル４は、微調整操作を受け付けるための微調整ボタンＢ１２として拡大ボタンＢ１２１および縮小ボタンＢ１２２を第１プレビュー画像Ｐ１と共に表示する。そして、操作パネル４は、拡大ボタンＢ１２１に対するタッチ操作（タップ操作）が１回行われるごとに切取範囲を所定値ずつ拡大し、縮小ボタンＢ１２２に対するタッチ操作（タップ）が１回行われるごとに切取範囲を所定値ずつ縮小する。この構成では、切取範囲を拡大することも縮小することもできるので、ユーザーの利便性が向上する。さらに、拡大ボタンＢ１２１および縮小ボタンＢ１２２が別々に表示されるので、ユーザーの操作性が向上する。
【０１０３】
また、本実施形態では、上記のように、制御部１は、操作パネル４が範囲選択操作を追加で受け付けたことによって複数の切取範囲が選択された場合、出力用データを生成するときに、複数の切取範囲にそれぞれ対応する複数の切取画像データの画像を１ページ分の領域内に含める。この構成では、複数の切取範囲にそれぞれ対応する複数の切取画像データの画像を１ページにまとめて出力することができるので、出力ページ数を減らしたい場合に有効である。
【０１０４】
また、本実施形態では、上記のように、操作パネル４は、出力用データに対応する第２プレビュー画像Ｐ２を表示し、切取画像データの画像のサイズおよび切取画像データの画像のページ内での配置位置の少なくとも一方を編集する編集操作を受け付ける。そして、制御部１は、編集操作での編集内容に基づき出力用データを編集する。この構成では、出力ページのレイアウトを任意に編集することができるので、ユーザーの利便性がより向上する。
【０１０５】
また、本実施形態では、上記のように、操作パネル４は、画像読取部２が複数枚の原稿Ｄを読み取った場合、複数枚の原稿Ｄの画像データにそれぞれ対応する複数の第１プレビュー画像Ｐ１のうち１つを表示して範囲選択操作を受け付け、第１プレビュー画像Ｐ１を表示しているとき、予め定められた切替操作を受け付けると、現在表示している第１プレビュー画像Ｐ１とは別の第１プレビュー画像Ｐ１を表示して範囲選択操作を受け付ける。この構成では、複数枚の原稿Ｄにそれぞれ対応する複数の原稿画像から切り取る画像を選ぶことができるので、ユーザーの利便性が向上する。さらに、或る原稿画像から切り取った画像と別の原稿画像から切り取った画像とを同一ページにレイアウトする、といったことも行える。
【０１０６】
また、本実施形態では、上記のように、操作パネル４は、予め定められた回転操作を範囲選択操作の一操作として受け付け、回転操作を受け付けると、切取範囲を回転させる。この構成では、原稿画像が傾いていたとしても、回転操作（範囲選択操作の一操作）を行うことにより、範囲選択操作で選択した切取範囲をユーザー所望の切取範囲と一致させることができる（原稿画像の傾きに合わせて切取範囲を回転させることができる）。これにより、原稿Ｄの読み取りを再度行う必要がないので、ユーザーにとっては利便性が良い。
【０１０７】
また、本実施形態では、上記のように、操作パネル４は、切取範囲をタッチしたままタッチ位置を移動させる操作を回転操作として受け付け、回転操作時のタッチ位置の移動方向および移動量に基づき切取範囲を回転させる。この構成では、ソフトウェアボタンに対するタッチ操作を行わなくても、切取範囲を回転させることができるので、操作性を向上させることができる。
【０１０８】
また、本実施形態では、上記のように、操作パネル４は、角度調整ボタンＢ１６に対する操作を回転操作として受け付け、角度調整ボタンＢ１６が操作されるごとに、切取範囲を所定角度ずつ回転させる。この構成では、切取範囲の傾きを所定角度単位で微調整することができる。
【０１０９】
また、本実施形態では、上記のように、操作パネル４は、画像読取部２が複数枚の原稿Ｄを読み取った場合、画像読取部２が読み取った複数枚の原稿Ｄのいずれかを選択する原稿選択操作を受け付ける。そして、制御部１は、原稿選択操作で選択された原稿Ｄを基準原稿Ｄに設定し、基準原稿Ｄ以外の原稿Ｄの画像データの地肌色の画素の画素値を基準原稿の画像データの地肌色の画素の画素値に変換する。これにより、複数枚の原稿Ｄにそれぞれ対応する複数の切取画像を１ページにまとめて出力する場合、各切取画像の画像無し部分の色味を統一することができる。
【０１１０】
また、本実施形態では、上記のように、操作パネル４は、原稿選択操作を受け付けるとき、画像読取部２が読み取った複数枚の原稿Ｄにそれぞれ対応する複数の第１プレビュー画像Ｐ１を表示し、いずれかの第１プレビュー画像Ｐ１を選択する操作を原稿選択操作として受け付ける。そして、制御部１は、原稿選択操作で選択された第１プレビュー画像Ｐ１に対応する原稿Ｄを基準原稿Ｄに設定する。この構成では、複数の第１プレビュー画像Ｐ１を見比べながら基準原稿Ｄを選択することができるので、ユーザーにとっては利便性が良い。
【０１１１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１１２】
１  制御部
２  画像読取部
３  印刷部
４  操作パネル
５  通信部
１００  複合機（画像読取装置、画像形成装置）
Ｂ１２  微調整ボタン
Ｂ１２１  拡大ボタン
Ｂ１２２  縮小ボタン
Ｂ１６  角度調整ボタン
【図１】
2019062515.tif 000003
【図２】
2019062515.tif 000004
【図３】
2019062515.tif 000005
【図４】
2019062515.tif 000006
【図５】
2019062515.tif 000007
【図６】
2019062515.tif 000008
【図７】
2019062515.tif 000009
【図８】
2019062515.tif 000010
【図９】
2019062515.tif 000011
【図１０】
2019062515.tif 000012
【図１１】
2019062515.tif 000013
【図１２】
2019062515.tif 000014
【図１３】
2019062515.tif 000015
【図１４】
2019062515.tif 000016
【図１５】
2019062515.tif 000017